(57)【要約】【課題】配管材内の負圧をより迅速且つ確実に解消することができる通気弁を提供する。【解決手段】通気弁は、接続口及び通気口を有する通気弁本体と、通気弁本体の内部で軸方向に延びる弁軸と、通気口の閉塞位置から開放位置に弁軸の軸方向に沿って移動する弁体と、弁体に連結された第１磁石と、第１磁石と離隔した位置で弁軸に沿って移動可能に支持され、初期位置で第１磁石と反発して弁体を閉塞位置に付勢する第２磁石と、第２磁石を初期位置に復帰させる復帰手段と、通気弁本体に取り付けられたカバー体と、を備える。カバー体は、通気口を覆う笠形状を有する笠部材、及び、通気弁本体の一端に取り付けられ、側方に開放されるとともに笠部材の通気口側で開口するように笠部材を固定する通気部材を備える。笠部材には、笠部材と通気部材との間に側方から流入した空気を通気口にガイドするように、笠部材の略中央で通気口側に隆起した隆起部が設けられている。【選択図】図８
2018040492.tif 000002
【特許請求の範囲】
【請求項１】
配管材に接続される接続口及び前記配管材に外気を導入する通気口を有する通気弁本体と、
前記配管材が負圧になると前記通気口の閉塞位置から開放位置に移動する弁体と、
前記通気弁本体に取り付けられたカバー体と、を備え、
前記カバー体は、前記通気口を覆う笠形状を有する笠部材、及び、前記通気弁本体の一端に取り付けられ、側方に開放されるとともに前記笠部材の前記通気口側で開口するように前記笠部材を固定する通気部材を備え、
前記笠部材には、前記笠部材と前記通気部材との間に側方から流入した空気を前記通気口にガイドするように、前記笠部材の略中央で前記通気口側に隆起した隆起部が設けられていることを特徴とする通気弁。
【請求項２】
配管材に接続される接続口及び前記配管材に外気を導入する通気口を有する通気弁本体と、
前記通気弁本体の内部で軸方向に延びる弁軸と、
前記配管材が負圧になると前記通気口の閉塞位置から開放位置に前記弁軸の軸方向に沿って移動する弁体と、
前記弁体に連結された第１磁石と、
前記第１磁石と離隔した位置で前記弁軸に沿って移動可能に支持され、初期位置で前記第１磁石と反発して前記弁体を前記閉塞位置に付勢する第２磁石と、
前記第２磁石を前記初期位置に復帰させる復帰手段と、
前記通気弁本体に取り付けられたカバー体と、を備え、
前記配管材が負圧になると、前記弁体の移動に伴って前記第１磁石が前記第２磁石側に移動するとともに、前記第１磁石及び前記第２磁石間の斥力によって前記第２磁石が前記第１磁石から離隔する方向に前記弁軸に沿って移動することにより、前記弁体が前記開放位置に配置され、
前記配管材の負圧が解消されると、前記復帰手段が前記第２磁石を前記初期位置に復帰させ、前記第１磁石及び前記第２磁石間の斥力で前記弁体を前記閉塞位置に付勢して前記通気弁を閉塞し、
前記カバー体は、前記通気口を覆う笠形状を有する笠部材、及び、前記通気弁本体の一端に取り付けられ、側方に開放されるとともに前記笠部材の前記通気口側で開口するように前記笠部材を固定する通気部材を備え、
前記笠部材には、前記笠部材と前記通気部材との間に側方から流入した空気を前記通気口にガイドするように、前記笠部材の略中央で前記通気口側に隆起した隆起部が設けられていることを特徴とする通気弁。
【請求項３】
前記通気部材は、中央で開口するとともに開口周縁が前記笠部材側に隆起した環状板体からなることを特徴とする請求項１又は２に記載の通気弁。
【請求項４】
配管材が配管された配管構造であって、前記配管材内の負圧を解消するように、請求項１から３のいずれか一項に記載の通気弁が接続口を介して前記配管材の接続端に連結されたことを特徴とする配管構造。
【発明の詳細な説明】
【技術分野】
【０００１】
本発明は、配管材の内部の負圧を解消すべく、配管材に取り付けられる通気弁、及び、該通気弁が備えられた配管構造に関する。
【背景技術】
【０００２】
一般的に、建築物に設置された台所の流し台、浴槽、トイレ等の排水設備には、排水を処理するために排水管が配管されている。このような排水設備の配管構造は、Ｓ字やＵ字に湾曲したトラップ部を有する排水管を備え、当該トラップ部に排水を溜めるように構成されている。このトラップ部に溜められた残留排水が排水管内部を塞いで排水管下流から漂う悪臭が室内へ漏れ出ないようにするとともに、排水管下流側から這い上がってくる害虫の侵入をも防いでいる。しかしながら、排水管を通って多量の水が流れる等で排水管内の気圧が下がって負圧となると、トラップ部の残留排水が吸引されて下流へと流されてしまう虞がある。このようなトラップ部における封水破壊を防止するために、排水管のトラップ部よりも下流に通気弁を配置することが行われている。そして、排水管内が負圧になったときに該通気弁を介して外気を排水管内に吸引して排水管の負圧状態を解消することにより、トラップ部の封水破壊を防止している。
【０００３】
例えば、特許文献１は、排水管（１０１）に接続される接続口（１２）及び該排水管（１０１）に外気を導入する通気口（２５）が形成された本体（１０）と、通気口（２５）を閉塞可能で且つ排水管（１２）の負圧により開放しうる弁体（４０）と、を備えた通気弁（１）を開示する。この通気弁（１）では、本体（１０）に形成された仕切部（１６）の磁石孔（１７）に磁石（１８）が嵌入され、且つ、弁体（４０）のガイド溝（４４）の下方に磁石（４５）が埋め込まれている。そして、磁石（１８、４５）による反発の閉止力で弁体（４０）が通気口（２５）を閉塞する。他方、排水管（１０１）の負圧が大きくなり、磁石（１８、４５）による弁体（４０）の閉止圧力より大きくなると、磁石（１８、４５）同士が近接して、弁体（４０）が通気口（２５）を開放して排水管（１０１）内の負圧を解消する。そして、排水管（１０２）の負圧を解消すると、磁石（１８、４５）の反発力で弁体（４０）が通気口（２５）を閉塞して通常状態に戻る。
【先行技術文献】
【特許文献】
【０００４】
【特許文献１】特開２００９−２９９８６６号公報
【発明の概要】
【発明が解決しようとする課題】
【０００５】
特許文献１の通気弁では、排水管（配管材）の内部の負圧が上昇したときに、弁体に固定された磁石と本体に固定された磁石とが近接するように弁体が移動して通気口を開放する。そして、弁体が開放方向に移動する距離が増えて磁石同士が接近する程、弁体側の磁石と本体側の磁石との間の斥力が大きくなる。そのため、弁体の開度は磁石の反発力によって制限される。特に、排水管内部の負圧が比較的高い場合において、弁体の開度が比較的大きくなると、近接した磁石同士の反発力が負圧時に弁体に作用する力を上回り、負圧の上昇と比べて弁体の開度が十分に大きくならず、排水管の負圧の解消に時間がかかることが問題であった。そして、負圧の程度によっては、外気の吸入速度が足りず、排水管内の負圧を十分に解消できずに封水破壊が起こってしまう虞もあった。すなわち、排水管内部の負圧が大きいときに、その負圧の強さに応じて弁体を十分に開放することができ、排気管の負圧を迅速且つ確実に解消可能な通気弁が求められている。
【０００６】
本発明は、上記課題を解決するためになされたものであり、その目的は、配管材内の負圧をより迅速且つ確実に解消することができる通気弁及び配管構造を提供することにある。
【課題を解決するための手段】
【０００７】
本発明の一形態の通気弁は、配管材に接続される接続口及び配管材の内部に外気を導入する通気口を有する通気弁本体と、
通気弁本体の内部で軸方向に延びる弁軸と、
配管材が負圧になると通気口の閉塞位置から開放位置に弁軸の軸方向に沿って移動する弁体と、
弁体に連結された第１磁石と、
第１磁石と離隔した位置で弁軸に沿って移動可能に支持され、初期位置で第１磁石と反発して弁体を閉塞位置に付勢する第２磁石と、
第２磁石を初期位置に復帰させる復帰手段と、を備え、
配管材が負圧になると、弁体の移動に伴って第１磁石が第２磁石側に移動するとともに、第１磁石及び第２磁石間の斥力によって第２磁石が第１磁石から離隔する方向に弁軸に沿って移動することにより、弁体が開放位置に配置され、
配管材の負圧が解消されると、復帰手段が第２磁石を初期位置に復帰させ、第１磁石及び第２磁石間の斥力で弁体を閉塞位置に付勢して通気弁を閉塞することを特徴とする。
【０００８】
本発明の一形態の通気弁は、復帰手段は、第２磁石を第１磁石側に付勢するように構成されていることを特徴とする。
【０００９】
本発明の一形態の通気弁は、弁軸が弁体に一体的に連結され、通気弁本体には弁軸の移動をガイドするガイド部が設けられていることを特徴とする。
【００１０】
本発明の一形態の通気弁は、復帰手段は、第２磁石と反発して第２磁石を第１磁石側に付勢するように配置された第３磁石であることを特徴とする。
【００１１】
本発明の一形態の通気弁は、第１磁石、第２磁石及び第３磁石が軸方向に沿って整列し、第１磁石が弁体に固定され、第３磁石が通気弁本体に固定され、且つ、第２磁石が第１磁石と第３磁石との間で弁軸に沿って移動可能に支持されていることを特徴とする。
【００１２】
本発明の一形態の通気弁は、第２磁石と第３磁石との間に少なくとも１つの第４磁石が配置され、少なくとも１つの第４磁石は軸方向に沿って移動可能であるとともに第２磁石及び第３磁石の両方と反発することを特徴とする。
【００１３】
本発明の一形態の通気弁は、配管材に接続される接続口及び配管材に外気を導入する通気口を有する通気弁本体と、
配管材が負圧になると通気口の閉塞位置から開放位置に軸方向に沿って移動する弁体と、
弁体に連結された第１磁石と、
第１磁石と離隔した位置で通気弁本体に設けられた軸部によって回動可能に軸支され、初期位置で第１磁石と反発して弁体を閉塞位置に付勢する第２磁石と、
第２磁石を初期位置に復帰させる復帰手段と、を備え、
配管材が負圧になると、弁体の移動に伴って第１磁石が第２磁石側に移動するとともに、第１磁石及び第２磁石間の斥力によって第２磁石が第１磁石から逃げるように回動することにより、弁体が開放位置に配置され、
配管材の負圧が解消されると、復帰手段が第２磁石を初期位置に復帰させ、第１磁石及び第２磁石間の斥力で弁体を閉塞位置に付勢して通気弁を閉塞することを特徴とする。
【００１４】
本発明の一形態の通気弁は、復帰手段は、第２磁石に連結されるとともに軸部を介して第２磁石の反対側に配置された錘体からなり、錘体は第２磁石よりも重く、重力によって第２磁石を軸部の上方に復帰させることを特徴とする。
【００１５】
本発明の一形態の配管構造は、配管材が配管された配管構造であって、配管材内の負圧を解消するように、通気弁が接続口を介して配管材の接続端に連結されたことを特徴とする。
【発明の効果】
【００１６】
本発明の一形態の通気弁によれば、配管材の内部が負圧になると、弁体の移動に伴って第１磁石が第２磁石側に移動する。これに伴う第１磁石及び第２磁石間の斥力の増加を抑制するように、第２磁石が第１磁石から離隔する方向に弁軸に沿って移動する。すなわち、弁体とともに第１磁石が第２磁石に対して軸方向に沿って近接すると、第２磁石が反発して第１磁石から逃げるように移動するため、第１磁石と第２磁石との間の斥力の増加が効果的に抑制される。そして、弁体が開放位置に到達するまでの間、弁体に作用する（該弁体を閉塞位置に付勢する）第２磁石からの反発力を効果的に減少させ、第１及び第２磁石間の斥力増加に起因して弁体の開度が制限される度合いを大幅に軽減することができる。そして、配管材内に外気を吸入して負圧が解消された後、復帰手段が第２磁石を初期位置に復帰させる。これにより、第２磁石が第１磁石を反発して弁体を閉塞位置へと迅速に移動させる。さらに、本発明では、弁体、第１磁石及び第２磁石が弁軸の軸方向に沿って移動する。すなわち、弁体、第１磁石及び第２磁石の移動方向が弁軸の軸方向に一義的に定められたことにより、弁体がより滑らか且つ正確に開放位置及び閉塞位置の間を反復移動することが可能となる。その上、通気弁を傾けた場合であっても、軸方向に沿った第１及び第２磁石間の反発力によって弁体が動作するので、重力による影響をほとんど無視することができる。したがって、本発明の通気弁は、迅速且つ正確に動作可能であり、配管材の負圧をより迅速且つ確実に解消することができる。
【００１７】
本発明の一形態の通気弁によれば、復帰手段が第２磁石を第１磁石側に付勢するように構成されていることにより、負圧を解消して弁体へ作用する力が低減したときに、迅速に第２磁石を初期位置に復帰させ、弁体を閉塞位置へと移動させることができる。
【００１８】
本発明の一形態の通気弁によれば、通気弁本体のガイド部が弁体に一体化された弁軸の移動をガイドすることにより、弁体をより一層滑らか且つ正確に軸方向に移動させることができる。
【００１９】
本発明の一形態の通気弁によれば、復帰手段が第２磁石と反発して該第２磁石を第１磁石側に付勢するように配置された第３磁石であることにより、負圧を解消して弁体へ作用する力が低減したときに、第２磁石及び第３磁石間の斥力によって迅速に第２磁石を初期位置に復帰させ、弁体を閉塞位置へと移動させることができる。
【００２０】
本発明の一形態の通気弁によれば、第１磁石が弁体に固定され、且つ、第３磁石が通気弁本体に固定されることにより、第２磁石が第１磁石及び第３磁石間に軸方向に沿って移動可能に配置される。そして、第１磁石、第２磁石及び第３磁石が軸方向に沿って整列しているため、通気弁を傾けた場合であっても、軸方向に沿った第１〜第３磁石間の反発力によって弁体が動作するので、重力による影響をほとんど無視することができる。すなわち、本発明の通気弁は、簡易な構造で配管材の負圧をより迅速且つ確実に解消することができる。
【００２１】
本発明の一形態の通気弁によれば、第２磁石と第３磁石との間に少なくとも１つの第４磁石を配置することによって、第１磁石と第３磁石と間の距離を大きくして、弁体の可動域を効果的に広げることができる。また、第４磁石の移動方向は軸方向に規制されているため、第４磁石が追加されたとしても、その動作が煩雑となることはない。
【００２２】
本発明の一形態の通気弁によれば、配管材内部が負圧になると、弁体の移動に伴って第１磁石が第２磁石側に移動する。これに伴う第１磁石及び第２磁石間の斥力の増加を抑制するように、第２磁石の磁極が第１磁石から離隔する方向に回動する。すなわち、弁体とともに第１磁石が第２磁石に対して近接すると、第２磁石が第１磁石から逃げるように回動するため、第２磁石の磁極の向きが第１磁石の方向から逸れて、第１磁石と第２磁石との間の斥力の増加が効果的に抑えられる。そして、弁体が開放位置に到達するまでの間、弁体に作用する（該弁体を閉塞位置に付勢する）第２磁石からの反発力を効果的に減少させ、第１及び第２磁石間の斥力増加に起因して弁体の開度が制限される度合いを大幅に軽減することができる。そして、配管材内に外気を吸入して負圧が解消された後、復帰手段が第２磁石を再び回動させて初期位置に復帰させる。これにより、第１及び第２磁石間の距離が再び縮まり、第２磁石が第１磁石を反発して弁体を閉塞位置へと迅速に移動させる。したがって、本発明の通気弁は、迅速且つ正確に動作可能であり、配管材の負圧をより確実に解消することができる。
【００２３】
本発明の一形態の通気弁によれば、復帰手段を第２磁石よりも重い錘体で構成したことにより、重力で第２磁石を軸部の上方に復帰させることができる。したがって、復帰手段を簡易な機構とすることができる。
【００２４】
本発明の一形態の配管材構造によれば、上記通気弁の効果を配管構造として発揮することができる。すなわち、本発明の配管構造は、通気弁によって配管材の負圧をより迅速且つ確実に解消することができる。
【図面の簡単な説明】
【００２５】
【図１】本発明に係る一実施形態（実施例１）の通気弁の斜視図。
【図２】図１の通気弁の（ａ）平面図及び（ｂ）側面図。
【図３】図１の通気弁の通気弁本体の斜視図。
【図４】図３の通気弁本体の（ａ）Ｂ−Ｂ断面図及び（ｂ）Ｃ−Ｃ断面図。
【図５】図１の通気弁の弁体の斜視図。
【図６】図５の弁体の（ａ）Ｄ−Ｄ図及び（ｂ）Ｅ−Ｅ断面図。
【図７】図１の通気弁のカバー体の（ａ）斜視図及び（ｂ）断面図。
【図８】図２の通気弁のＡ−Ａ断面図。
【図９】図１の通気弁の分解斜視図。
【図１０】図１の通気弁が排水管に連結された配管構造を示す概略図。
【図１１】図１０の配管構造において、（ａ）排水管が負圧状態になく、通気弁の弁体が閉塞位置にある形態を示し、（ｂ）排水管が負圧状態で通気弁の弁体が開放位置にある形態を示す。
【図１２】本発明に係る別実施形態（実施例２）の通気弁の断面図。
【図１３】図１２の通気弁の配管構造において、（ａ）排水管が負圧状態になく、通気弁の弁体が閉塞位置にある形態を示し、（ｂ）排水管が負圧状態で通気弁の弁体が開放位置にある形態を示す。
【図１４】本発明に係る別実施形態（実施例３）の通気弁の断面図。
【図１５】本発明に係る別実施形態（実施例４）の通気弁の断面図。
【図１６】本発明に係る別実施形態（実施例５）の通気弁の断面図。
【図１７】本発明に係る別実施形態（実施例６）の通気弁の斜視図。
【図１８】図１７の通気弁の（ａ）Ｆ−Ｆ断面図及び（ｂ）Ｇ−Ｇ断面図。
【図１９】図１７の通気弁の配管構造において、（ａ）排水管が負圧状態になく、通気弁の弁体が閉塞位置にある形態を示し、（ｂ）排水管が負圧状態で通気弁の弁体が開放位置にある形態を示す。
【発明を実施するための形態】
【００２６】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。また、本発明における上下左右の方向は、相対的な位置を示す概念にすぎず、これらを入れ替えて適用可能であることは言うまでもない。
【００２７】
（実施例１）
図１は、本発明の一実施形態の通気弁１００の斜視図である。また、図２（ａ）、（ｂ）は、通気弁１００の平面図及び側面図である。そして、図８は、通気弁１００のＡ−Ａ断面図である。図１、図２及び図８に示すとおり、通気弁１００は、排水管（配管材）Ｐに接続される通気弁本体１１０と、該通気弁本体１１０に収容され、第１磁石Ｍ１が連結された弁体１３０と、該弁体１３０の弁軸１３５（第１軸部１３５ａ）に沿って移動可能に第２磁石Ｍ２を保持する第２磁石保持体１５０と、該弁体１３０を保護するように通気弁本体１１０の一端に取り付けられたカバー体１７０と、を備える。次に、図３〜図７を参照して、各構成部材について詳細に説明する。
【００２８】
まず、図３及び図４を参照して、通気弁本体１１０について説明する。図３は、通気弁本体１１０の斜視図である。また、図４（ａ）、（ｂ）は、該通気弁本体１１０のＢ−Ｂ断面図及びＣ−Ｃ断面図である。図３に示すとおり、通気弁本体１１０は、その両端が開放された一端から他端に延びる円筒形状の合成樹脂製の筐体部１１１からなる。この筐体部１１１の内壁は、図４（ａ）に示すように、上端から小径部分、大径部分、テーパー部分、小径部分を組み合わせてなる。
【００２９】
この通気弁本体１１０の一端（上端）には、円形状の開口端部１１８が形成されている。図４（ａ）に示すとおり、開口端部１１８の下方において、弁体１３０によって開放及び閉塞される円形状の通気口１１２が形成されている。該通気口１１２は開口端部１１８と連通しており、該通気弁本体１１０内部に外気を導入可能である。この通気口１１２は、弁体１３０の円板状の弁体本体１３１の径よりも小さい内径を有する。そして、該通気口１１２を縁取るように下端側に弁座（又は弁座面）１１３が設けられている。後述するとおり、この弁座１１３に弁体１３０のパッキン１３２が密接することにより、通気口１１２が閉塞される。そして、筐体部１１１内部で通気口１１２及び弁座１１３の下方に弁体収容空間１１４が定められる。該弁体収容空間１１４は、弁体１３０を上下に移動可能に収容する。
【００３０】
また、弁体収容部１１４の下方には、復帰手段として永久磁石である第３磁石Ｍ３を配置するための短筒状の第３磁石保持部１１５が設けられている。この第３磁石保持部１１５は、内周壁及び外周壁の間に環状溝部を有する。他方、第３磁石Ｍ３は、所定の厚み及び高さを有する環状体である。該第３磁石Ｍ３は、好ましくは、ネオジム磁石等の希土類磁石である。該第３磁石Ｍ３は、第３磁石保持部１１５の環状溝部に収容されて第３磁石保持部１１５に固定されている。また、図４（ｂ）に示すとおり、第３磁石保持部１１５は、筐体部１１１の径方向中心に位置し、筐体部１１１の内壁間に架設されたリブ１１５ａによって支持されている。このリブ１１５ａは第３磁石保持部１１５の外周壁から４方向に放射状に延び出ている。そして、該リブ１１５ａは、十字状に直交し、弁体収容空間１１４の下端付近で筐体部１１１内壁が上方から下方に向けてテーパー状に傾斜した傾斜面に２対のリブ連結部１１１ａを介して固定されている。この２対のリブ連結部１１１ａは、互いに対向するように筐体部１１１内壁に一体形成されている。
【００３１】
さらに、第３磁石保持部１１５の内周壁の内面によって第１ガイド部１１６が定められている。この第１ガイド部１１６は、通気弁本体１１０の径方向中心に位置する軸孔であり、後述する弁体１３０の弁軸１３５（第１軸部１３５ａ）の移動をガイドするように機能する。
【００３２】
そして、図４（ａ）に示すように、通気孔１１２及び開口端部１１８の間に第２ガイド部１１７が設けられている。この第２ガイド部１１７は、通気弁本体１１０の径方向中心に位置する軸孔であり、後述する弁体１３０の弁軸１３５（第２軸部１３５ｂ）の移動をガイドするように機能する。第２ガイド部１１７は、筐体部１１１の内壁間に架設されたリブ１１７ａによって支持されている（図３参照）。リブ１１７ａは、第２ガイド部１１７の外周壁から延び出ており、筐体部１１１上方の内壁に一体化されている。
【００３３】
該通気弁本体１１０の他端（下端）には、排水管Ｐの接続端Ｐ’に接続するための接続口１１９が形成されている。すなわち、通気弁本体１１０内で通気口１１２、開口端部１１８及び接続口１１９が連通している。接続口１１９は、内筒壁１１９ａの先端によって定められている。この内筒壁１１９ａが排水管Ｐの接続端Ｐ’に嵌入することにより、接続口１１９が排水管Ｐに連結される。他方、この内筒壁１１９ａの径方向外側に円筒状の外筒壁１１９ｂが形成されている。この外筒壁１１９ｂは、筐体部１１１のテーパー部分外面から下方に軸方向に沿って延在している。該外筒壁１１９ｂは、より大きい内径を有する配管材に嵌入可能に構成されている。すなわち、接続口１１９は、２種類の径の配管材を接続可能に構成されている。
【００３４】
次に、図５及び図６を参照して、弁体１３０について説明する。図５は、弁体１３０の斜視図である。また、図６は、弁体１３０の（ａ）Ｄ−Ｄ断面図及び（ｂ）Ｅ−Ｅ断面図である。図５に示すとおり、弁体１３０は、円板状の合成樹脂製の弁体本体１３１と、該弁体本体１３１の外周近傍で上面側に露出する合成ゴム等からなるパッキン１３２と、該弁体１３０の径方向中心で第１磁石Ｍ１を保持する第１磁石保持部１３３と、弁体本体１３１の中心から同軸上に上下に延びる弁軸１３５と、を備えてなる。第１磁石Ｍ１は、所定の径及び長さを有する円柱状の塊体であり、好ましくは、ネオジム磁石等の希土類磁石である。
【００３５】
図６（ａ）に示すとおり、弁体本体１３１は、下方の第１基板１３１ａと、上方の第２基板１３１ｂとを重ね合わせてなる。図６（ｂ）に示すとおり、該弁体本体１３１の中央で第１磁石保持部１３３が第１基板１３１ａに一体的に設けられている。該第１磁石保持部１３３は、中空の円筒体からなり、内部に第１磁石Ｍ１を内包している。そして、第１基板１３１ａの中央近傍で下方に隆起した底壁と、第１磁石保持部１３３の筒壁から放射状に延び出る３本のリブ１３３ａとにより、第１基板１３１ａに第１磁石保持部１３３が連結されている。
【００３６】
そして、第１基板１３１ａ及び第２基板１３１ｂの間にパッキン１３２が挟み込まれている。パッキン１３２は、円板状の平パッキンであり、中央に孔１３２ａが穿設されている。該孔１３２ａ内に第１磁石保持部１３３が配置される（図９参照）。
【００３７】
該弁体本体１３１では、第１基板１３１ａの外径は第２基板１３１ｂの外径よりも大きい。また、第１基板１３１ａの外径はパッキン１３２の外径とほぼ等しい。つまり、パッキン１３２全体が第１基板１３１ａ上面に支持されるとともに、パッキン１３２上面が第２基板１３１ｂの外側で上方に露出している。そして、第１基板１３１ａの外径は通気口１１２の内径よりも大きく、且つ、第２基板１３１ｂの外径は通気口１１２の内径よりも僅かに小さい。すなわち、弁体１３０で通気口１１２を閉塞するときに、第２基板１３１ｂが通気口１１２内に配置されて、第１基板１３１ａ上面のパッキン１３２が通気口１１２周囲の弁座１１３に係合可能に弁体１３０が構成されている。
【００３８】
そして、弁体本体１３１の第１基板１３１ａの下面中心には、下方に延びる弁軸１３５の第１軸部１３５ａが一体的に形成されている。該第１軸部１３５ａは、通気弁本体１１０の第１ガイド部１１６の軸孔を貫通し、該軸孔内を上下動可能に構成されている。また、該第１軸部１３５ａは、環状の第２磁石保持体１５０の軸孔を貫通し、互いに相対移動可能に構成されている。他方、弁体本体１３１の第２基板１３１ｂの上面中心には、上方に延びる弁軸１３５の第２軸部１３５ｂが一体的に形成されている。該第２軸部１３５ｂは、通気弁本体１１０の第２ガイド部１１７の軸孔を貫通し、該軸孔内を上下動可能に構成されている。
【００３９】
次に、第２磁石保持体１５０について説明する。第２磁石保持体１５０は、その外周壁及び内周壁の間に第２磁石Ｍ２を保持している。第２磁石Ｍ２は、所定の厚み及び高さを有する環状体である。該第２磁石Ｍ２は、好ましくは、ネオジム磁石等の希土類磁石である。上述したとおり、該第２磁石保持体１５０の軸孔は、弁軸１３５の第１軸部１３５ａが遊挿されるように構成されている。
【００４０】
続いて、図７を参照して、カバー体１７０について説明する。図７（ａ）、（ｂ）は、該カバー体１７０の斜視図及び断面図である。このカバー体１７０は、任意又は選択的に通気弁本体１１０に着脱自在に取り付けられる。そして、該カバー体１７０は、埃や塵が通気口１１２を介して通気弁本体１１０内部に進入することを軽減し、且つ、弁体１３０を物理的に保護するように機能する。図７（ａ）、（ｂ）に示すとおり、カバー体１７０は、三度笠のような形状を有する笠部材１７１と、該笠部材１７１の下方で開口した通気部材１７２とを備え、その側方が開放されている。笠部材１７１は、その中央で内方に隆起した隆起部１７１ａを有する。後述するように、該隆起部１７１ａは、笠部材１７１と通気部材１７２との間に側方から流入した空気を通気口１１２にガイドするように機能する。また、該笠部材１７１は、通気弁本体１１０の上面を覆う大きさで形成されている。この笠部材１７１は固定孔１７１ｂを介して通気部材１７２の固定筒１７２ｃにビス（図示せず）で固定されている。通気部材１７２は、その中央が開口するとともに開口周縁が隆起した環状板体からなる。より詳細には、該通気部材１７２の中央には、通気弁本体１１０の開口端部１１８に接合される開口１７２ａが形成されている。この開口１７２ａの外周縁は傾斜している。また、通気部材１７２の外周近傍には、湾曲したスリット状の固定溝１７２ｂが穿設されている。後述するとおり、該固定溝１７２ｂには、通気弁本体１１０の一端から上方に突出する嵌合突起１１１ｅが嵌合する。
【００４１】
上述した各構成部材の説明を踏まえて、図８を参照して、通気弁１００の構造を詳細に説明する。図８は、通気弁１００のＡ−Ａ断面図である。図８の通気弁１００は、弁体１３０が通気口１１２を閉塞した閉塞状態にあり、弁体１３０に外力が作用しない限り、この状態（すなわち、初期位置）を維持する。
【００４２】
図８に示すとおり、通気弁本体１１０の上端には、カバー体１７０が取着されている。このカバー体１７０の開口１７２ａが通気弁本体１１０の開口端部１１８及び通気口１１２に連通しており、カバー体１７０の側方から外気を内部に導入可能である。そして、通気弁本体１１０の弁体収容空間１１４には、弁体１３０が収容されている。当該弁体１３０は、通気口１１２の閉塞位置に配置されている。
【００４３】
より詳細には、弁体１３０の第２基板１３１ｂが通気口１１２内に配置され、第１基板１３１ａに支持されたパッキン１３２が弁座１１３の座面に密着（圧接）している。そして、弁体１３０の弁軸１３５の第１軸部１３５ａが、弁体本体１３１の下方で第１ガイド部１１６の軸孔を遊挿状態で貫通している。同様に、弁軸１３５の第２軸部１３５ｂが、弁体本体１３１の上方で第２ガイド部１１７の軸孔を遊挿状態で貫通している。すなわち、通気弁本体１１０に設けられたガイド部１１６、１１７が弁軸１３５の上下動をガイドする。換言すると、弁体１３０の軸方向に沿った移動軸が傾斜することがガイド部１１６、１１７によって規制される。
【００４４】
該通気弁１００では、第１磁石Ｍ１、第２磁石Ｍ２及び第３磁石Ｍ３が弁軸１３５の軸方向に沿って整列している。具体的には、通気口１１２近傍で弁体１３０の第１磁石保持部１３３に第１磁石Ｍ１が配置されている。該第１磁石Ｍ１は、弁体１３０とともに弁軸１３５の軸方向に沿って移動可能である。また、弁軸１３５の第１軸部１３５ａが第２磁石保持体１５０を遊挿状態で貫通している。このため、第２磁石Ｍ２は、第２磁石保持体１５０とともに弁軸１３５の第１軸部１３５ａ上で軸方向に沿って移動可能である。そして、第３磁石Ｍ３を支持する第３磁石保持部１３５が、弁体収容空間１１４下端の径方向中心に位置するように通気弁本体１１０に固定されている。
【００４５】
本実施形態の通気弁１００は、第１磁石Ｍ１を弁体１３０に内蔵（連結）したことにより、第２磁石Ｍ２及び第３磁石Ｍ３を通気弁本体１１０内の通気口１１２の内側に集約させたものである。すなわち、第１磁石Ｍ１が弁体１３０内に設置され、第３磁石Ｍ３が弁体１３０よりも接続口１１９側で通気弁本体１１０に固定され、そして、第２磁石Ｍ２が第１磁石Ｍ１と第３磁石Ｍ３との間で弁軸１３５に沿って移動可能に支持されている。これら第１磁石Ｍ１及び第２磁石Ｍ２は、互いに反発するように同じ磁極が対向している。すなわち、該第１磁石Ｍ１及び第２磁石Ｍ２間の斥力により、初期位置にある第２磁石Ｍ２が第１磁石Ｍ１を離隔させて上方に付勢している。同様に、第２磁石Ｍ２及び第３磁石Ｍ３は、互いに反発するように同じ極性の磁極が対向している。すなわち、第２磁石Ｍ２及び第３磁石Ｍ３間の斥力により、復帰手段としての第３磁石Ｍ３が第２磁石Ｍ２を離隔させて初期位置に付勢している。つまり、これら磁石間の反発力が協働することで、弁体１３０が閉塞位置に付勢されて弁体１３０のパッキン１３２が弁座１１３に圧接している。
【００４６】
なお、各磁石の磁力がほぼ等しく定められているため、第２磁石Ｍ２が第１磁石Ｍ１及び第３磁石Ｍ３に対して等距離に離間している。しかしながら、各磁石の磁力の関係を変更することにより、第２磁石Ｍ２をいずれかに偏向させて配置してもよい。そして、弁体１３０の開放位置は、弁体収容空間１１４の軸方向の長さ（又は第３磁石保持部１１５の位置）や磁石の磁力又は個数を調整することで任意に設定され得る。開放位置は、負圧の強さに応じて接続口１１０側に推移する。
【００４７】
図９は、通気弁１００の分解斜視図である。図９を参照して、該通気弁１００を製造する方法を説明する。図９に示すとおり、通気弁本体１１０は、筒状の第１部材１１０ａ、十字状の第２部材１１０ｂ、及び、短筒状の第３部材１１０ｃを組み合わせてなる。まず、通気弁本体１１０の筒状の第１部材１１０ａに、（第３磁石Ｍ３を保持する）十字状の第２部材１１０ｂを固定するように、リブ１１５ａをリブ連結部１１１ａに連結する。次いで、第１基板１３１ａ、パッキン１３２及び第２基板１３１ｂを接合して弁体１３０を組み立てる。そして、該弁体１３０の第１軸部１３５ａに第２磁石保持体１５０を外挿するとともに、第１軸部１３５ａを第２部材１１０ｂの第１ガイド部１１６の軸孔に挿入する。続いて、第１部材１１０ａの上端に第３部材１１０ｃを組み付ける。このとき、第３部材１１０ｃの第２ガイド部１１７の軸孔に弁体１３０の第２軸部１３５ｂを挿通させるとともに、第１部材１１０ａの上端の雌ねじ部１１１ｃに第３部材１１０ｃの雄ねじ部１１１ｄを螺合させる。これにより、弁体１３０を内蔵した通気弁本体１１０が組み立てられる。さらに、笠部材１７１と通気部材１７２を固定してカバー体１７０を組み立て、該カバー体１７０を通気弁本体１１０の上端に嵌着する。すなわち、通気弁本体１１０の上端で突出する嵌合突起１１１ｅを固定溝１７２ｂ内に嵌め込むことにより、カバー体１７０を通気弁本体１１０に着脱自在に取り付けることができる。
【００４８】
図１０は、上述した通気弁１００を排水管Ｐの接続端Ｐ’に接続した配管構造１０の模式図を示している。図９に示すとおり、配管構造１０では、複数の排水管Ｐが床下の主配管に連結されて配管されている。排水管Ｐの１つは、流し台、浴槽、トイレ等の排水設備の排水口に連結されており、Ｓ字状に湾曲したトラップ部を有する。そして、該トラップ部の下流で開口した接続端Ｐ’が設けられている。該排水管Ｐの接続端Ｐ’に対して、通気弁１００の接続口１１９が封止状態で連結される。本発明の配管構造において、図１０に示すように、１又は複数の通気弁を配管材に取り付けることも可能であり、状況に応じて、その位置や方向も任意に設定可能である。そして、本実施形態の配管構造では、磁石Ｍ１、Ｍ２、Ｍ３間の反発力及び負圧が弁体に作用する力が重力よりも十分に大きいので、ここでは重力の影響を無視することができる。
【００４９】
続いて、図１１を参照して、通気弁１００を取着した配管構造１０における通気弁１００の動作を説明する。図１１（ａ）は、配管構造１０において排水管Ｐが負圧状態になく、通気弁１００の弁体１３０が閉塞位置にある形態を示している。図１１（ｂ）は、排水管Ｐが負圧状態で通気弁１００の弁体１３０が開放位置にある形態を示す。
【００５０】
図１１（ａ）に示すとおり、排水管Ｐが負圧でない通常の閉塞状態では、弁体１３０が閉塞位置に付勢されてパッキン１３２が弁座１１３に密接し、通気口１１２が弁体１３０で封止されている。この閉塞状態では、排水管Ｐ内の圧力が外気圧と同じか、又は、外気圧よりも大きく、（重力以外に）弁体１３０に開放方向への力が作用していない。あるいは、排水管Ｐ内の負圧が十分に小さく、第２磁石Ｍ２が第１磁石Ｍ１を付勢する斥力よりも排水管Ｐの内圧と外気圧間の圧力差が弁体１３０に作用する力の方が小さい。すなわち、磁力による付勢力が、弁体１３０に作用する開放方向の力を上回る限り、弁体１３０が通気口１１２を定常的に閉塞する。そして、該配管構造１０では、排水管Ｐの下流から漂う悪臭が室内へ漏れ出ないようにするとともに、排水管Ｐ下流側から這い上がってくる害虫の侵入をも防いでいる。
【００５１】
通常の閉塞状態（又は初期状態）から排水管Ｐ内の負圧が大きくなると、該排水管Ｐに連通する通気弁本体１１０内の弁体収容空間１１４も同様に負圧になる。これにより、弁体１３０（及び通気口１１２）を介した通気弁本体１１０の内外で圧力差が生じ、この圧力差が弁体１３０を開放方向に移動させるように作用する。そして、弁体１３０に作用する開放方向の力が、初期位置における第１磁石Ｍ１及び第２磁石Ｍ２間の斥力を上回ると、弁体１３０が弁軸１３５の軸方向に沿って開放位置に向けて移動を開始する。
【００５２】
そして、図１１（ｂ）に示すとおり、弁体１３０の移動に伴って第１磁石Ｍ１が軸方向に沿って第２磁石Ｍ２側に移動する。これに伴う第１磁石Ｍ１及び第２磁石Ｍ２間の斥力の増加を抑制するように、第２磁石Ｍ２が第１磁石Ｍ１から離隔する方向に弁軸１３５に沿って移動しつつ、弁体１３０が開放位置に移動する。すなわち、第１磁石Ｍ１の移動とともに第２磁石Ｍ２が第３磁石Ｍ３側に逃げていく。このとき、第２磁石Ｍ２は第３磁石Ｍ３によって第１磁石Ｍ１側に付勢されているため、第１磁石Ｍ１が移動した距離（ｄ１）は第２磁石Ｍ２が移動した距離（ｄ２）よりも大きい。そして、第１磁石Ｍ１と第２磁石Ｍ２との間の縮まった距離は、第１磁石Ｍ１が移動した距離（ｄ１）から第２磁石Ｍ２が移動した距離（ｄ２）を差し引いたものである。つまり、第２磁石Ｍ２が離隔方向に移動した距離（ｄ２）分、斥力の増加が（従来と比較して）抑制されている。したがって、当該通気弁１００では、第１磁石Ｍ１の移動距離（ｄ１）に応じて、第１磁石Ｍ１と第２磁石Ｍ２との距離が比例的に縮まることがない。これにより、第１磁石Ｍ１と第２磁石Ｍ２との間の斥力の増加が効果的に抑えられる。そして、図１１（ｂ）に示すように、弁体１３０が十分に開放した開放位置に迅速且つ確実に到達して、通気口１１２を介して外気を吸入する。このとき、カバー体１７０の側方から吸入された外気流は、笠部材１７１の隆起部１７１ａにぶつかり、開口１７２ａを介して通気口１１２へと導かれる。その結果として、排水管Ｐ内の負圧が迅速且つ確実に解消される。
【００５３】
次に、排水管Ｐ内の負圧が解消されると、負圧に起因する弁体１３０に作用する力がなくなり、復帰手段としての第３磁石Ｍ３が第２磁石Ｍ２を弁軸１３５に沿って初期位置に復帰させる。すなわち、第２磁石Ｍ２が第３磁石Ｍ３に反発して、（重力に抗して）第２磁石Ｍ２を上方に持ち上げる。その結果、第２磁石Ｍ２が初期位置に復帰するとともに第１磁石Ｍ１が弁体１３０とともに軸方向に沿って閉塞位置に押し上げられる。そして、第１磁石Ｍ１及び第２磁石Ｍ２間の斥力で弁体１３０を閉塞位置に付勢して、弁体１３０が通気口１３０を再び閉塞することにより、図１１（ａ）の初期（閉塞）状態に復帰する。すなわち、該配管構造１０では、排水管Ｐ内の負圧を解消した後、迅速且つ確実に各部材が元の位置に復帰する。
【００５４】
以下、本発明に係る一実施形態の通気弁１００及び配管構造１０における作用効果について説明する。
【００５５】
本実施形態の通気弁１００によれば、弁体１３０とともに第１磁石Ｍ１が第２磁石Ｍ２に対して軸方向に沿って近接すると、第２磁石Ｍ２が反発して第１磁石Ｍ１から逃げるように移動するため、第１磁石Ｍ１と第２磁石Ｍ２との間の斥力の増加が効果的に抑えられる。そして、弁体１３０が開放位置に到達するまでの間、弁体１３０に作用する第２磁石Ｍ２からの反発力を効果的に減少させ、第１磁石Ｍ１及び第２磁石Ｍ２間の斥力増加に起因して弁体１３０の開度が制限される度合いを大幅に軽減することができる。これにより、従来と比べて、負圧の強さに応じて弁体１３０の開放位置を通気口１１２側から接続口１１９側へと移動させ、開放位置における弁体１３０の開度をより大きくして、排水管Ｐ内部の負圧を迅速に解消することができる。
【００５６】
そして、排水管Ｐ内に外気を吸入して負圧が解消された後、第３磁石Ｍ３が復帰手段として第２磁石Ｍ２を初期位置に復帰させる。すなわち、第２磁石Ｍ２と第３磁石Ｍ３との間の反発力が第２磁石Ｍ２を第１磁石Ｍ１側に付勢することにより、負圧を解消して弁体１３０へ作用する力が低減するとすぐに第２磁石Ｍ２を初期位置に復帰させ、弁体１３０を閉塞位置へと迅速に移動させることができる。
【００５７】
さらに、本実施形態では、第１磁石Ｍ１、第２磁石Ｍ２及び第３磁石Ｍ３が弁軸１３５の軸方向に沿って整列し、且つ、第１磁石Ｍ１及び第２磁石Ｍ２の移動方向が弁軸１３５の軸方向に一義的に定められたことにより、弁体１３０がより滑らか且つ正確に開放位置及び閉塞位置の間を反復移動することが可能となる。その上、通気弁１００を傾けた場合であっても、弁軸１３５の軸方向に沿った第１、第２、第３磁石Ｍ１、Ｍ２、Ｍ３間（少なくとも第１、第２磁石Ｍ１、Ｍ２間）の反発力によって弁体１３０が動作するので、重力による影響をほとんど無視することができる。すなわち、通気弁１００の設置角度に影響されて弁体１３５の移動軸が傾斜して弁体１３０の動作が阻害される虞を軽減することができる。また、第１、第２及び第３磁石Ｍ１、Ｍ２、Ｍ３が通気口１１２の内側に集約されていることにより、筐体部１１１の周壁によって、各磁石がより確実に保護されている。したがって、本実施形態の通気弁１００は、迅速且つ正確に動作可能であり、排水管Ｐの負圧をより確実に解消することができる。
【００５８】
本発明は、上記実施形態に限定されず、種々の変形例を取り得る。以下、本発明の代表的な実施例２乃至６を説明する。なお、各実施例の説明において、実施例１と共通する構成要素の説明を省略するが、下二桁の符号が共通する部材は、一般的に同様又は類似する部材を意味する。
【００５９】
（実施例２）
次に、本発明の別実施形態の通気弁２００について説明する。図１２は、該通気弁２００の断面図である。本実施例の通気弁２００は、通気弁本体２１０、弁体２３０、第２磁石保持体２５０及びカバー体２７０を備えてなる。そして、該通気弁２００は、実施例１の通気弁１００と異なり、第１磁石Ｍ１、第２磁石Ｍ２及び第３磁石Ｍ３が通気口２１２の上方に配置されるように構成されている。
【００６０】
図１２に示すとおり、弁体２３０の弁軸２３５上部の第２軸部２３５ｂの先端に第１磁石保持部２３３が設けられている。該第１磁石保持部２３３には、第１磁石Ｍ１が固定されている。つまり、弁体２３０に第２軸部２３５ｂを介して第１磁石Ｍ１が連結されており、該第１磁石Ｍ１は弁体２３０とともに弁軸２３５の軸方向に移動可能である。そして、通気口２１２の上方で第２ガイド部２１７に隣接して第３磁石保持部２１５が形成されている。第２ガイド部２１７は、実施例１の第２ガイド部１１７と同様にリブ（図示せず）によって通気弁本体２１０の筐体部２１１の内壁に連結されている。すなわち、第３磁石Ｍ３が第３磁石保持部２１５によって通気弁本体部２１０の径方向中心で所定高さに固定されている。他方、弁体収容空間２１４下方で第１ガイド部２１６がリブ２１６ａによって筐体部２１１内壁に固定されているが、隣接して磁石を備えていない。さらに、弁軸２３５の第２軸部２３５ｂ上で第１磁石保持部２３３と第３磁石保持部２１５との間に第２磁石保持体２５０が配置されている。該第２磁石保持部２５０の軸孔に弁軸２３５が遊挿状態で貫通しており、第２磁石保持体２５０は弁軸２３５に沿って移動可能に支持されている。
【００６１】
本実施形態の通気弁２００では、第１磁石Ｍ１、第２磁石Ｍ２及び第３磁石Ｍ３が弁軸２３５の軸方向に沿って整列し、第１磁石Ｍ１が通気口２１２の外方に延びる弁軸２３５の第２軸部２３５ｂの端部に固定され、第３磁石Ｍ３が弁体２３０と第１磁石Ｍ１との間で通気弁本体２１０に固定され、第２磁石Ｍ２が第１磁石Ｍ１と第３磁石Ｍ３との間に配置されている。すなわち、通気弁２００では、（第１磁石Ｍ１を内蔵する通気弁１００と異なり）第１磁石Ｍ１を弁軸２３５の通気口２３２側の先端に固定して弁体２３０に連結したことにより、第１、第２及び第３磁石Ｍ１、Ｍ２、Ｍ３を通気弁本体２１０内の通気口２１２の外方に集約させた。そのため、通気弁２００を分解しなくても、第１、第２及び第３磁石Ｍ１、Ｍ２、Ｍ３を外方から簡単に目視することが可能であり、本通気弁２００はメンテナンスの点で有利である。
【００６２】
続いて、図１３を参照して、通気弁２００を取着した配管構造２０における通気弁２００の動作を説明する。図１３（ａ）は、配管構造２０において排水管Ｐが負圧状態になく、通気弁２００の弁体２３０が閉塞位置にある形態を示している。図１３（ｂ）は、排水管Ｐが負圧状態で通気弁２００の弁体２３０が開放位置にある形態を示す。
【００６３】
図１３（ａ）に示すとおり、排水管Ｐが負圧でない通常の閉塞状態では、弁体２３０が閉塞位置に付勢されてパッキン２３２が弁座２１３に密接し、通気口２１２が弁体２３０で封止されている。そして、排水管Ｐ内の負圧が大きくなると、弁体２３０（及び通気口２１２）を介した通気弁本体２１０の内外で圧力差が生じ、この圧力差が弁体２３０を開放方向に移動させるように作用する。
【００６４】
そして、図１３（ｂ）に示すとおり、弁体２３０の移動に伴って第１磁石Ｍ１が軸方向に沿って第２磁石Ｍ２側に移動する。これに伴う第１磁石Ｍ１及び第２磁石Ｍ２間の斥力の増加を抑制するように、第２磁石Ｍ２が第１磁石Ｍ１から離隔する方向に弁軸２３５に沿って移動しつつ、弁体２３０が開放位置に移動する。すなわち、第１磁石Ｍ１の移動とともに第２磁石Ｍ２が第３磁石Ｍ３側に逃げていく。これにより、実施例１と同様に、第１磁石Ｍ１と第２磁石Ｍ２との間の斥力の増加が効果的に抑制される。その結果、図１３（ｂ）に示すように、弁体２３０が十分に開放した開放位置に迅速且つ確実に到達して、通気口２１２を介して外気を吸入して、排水管Ｐ内の負圧を解消する。
【００６５】
排水管Ｐ内の負圧が解消されると、負圧による弁体２３０に作用する力がなくなり、復帰手段としての第３磁石Ｍ３が第２磁石Ｍ２を弁軸２３５に沿って初期位置に復帰させる。すなわち、第２磁石Ｍ２が第３磁石Ｍ３に反発して、（重力に抗して）第２磁石Ｍ２を上方に持ち上げる。そして、第２磁石Ｍ２が初期位置に復帰するとともに第１磁石Ｍ１が弁体２３０とともに軸方向に沿って閉塞位置に押し上げられる。その結果、第１磁石Ｍ１及び第２磁石Ｍ２間の斥力で弁体２３０を閉塞位置に付勢して、弁体２３０が通気口２１２を再び閉塞することにより、図１３（ａ）の初期（閉塞）状態に復帰する。すなわち、該配管構造２０は、排水管Ｐ内の負圧を解消した後、迅速且つ確実に各部材が元の位置に復帰するように構成されている。
【００６６】
したがって、実施例２の通気弁２００及び配管構造２０は、上記実施例１と同様の作用効果を発揮するものである。すなわち、本発明の第１磁石及び第２磁石及び復帰手段の位置は、筐体部内部に限定されることなく、任意に変更可能である。
【００６７】
（実施例３）
本発明の別実施形態の通気弁３００について説明する。図１４は、該通気弁３００の断面図である。本実施例の通気弁３００は、通気弁本体３１０、弁体３３０、第２磁石保持体３５０及びカバー体３７０を備えてなる。図１４に示すとおり、該通気弁３００は、実施例１の通気弁１００と比べて、弁体収容空間３１４及び弁軸３３５の第１軸部３３５ａの軸方向の長さを拡張して、第２磁石Ｍ２及び第３磁石Ｍ３の間に第４磁石Ｍ４を配置したものである。第４磁石Ｍ４は第４磁石保持体３６０に保持されており、弁軸３３５の第１軸部３３５ａが該第４磁石保持体３６０の軸孔を遊挿状態で貫通している。すなわち、第４磁石Ｍ４は、第２磁石Ｍ２及び第３磁石Ｍ３の間で軸方向に沿って移動可能である。
【００６８】
該第４磁石Ｍ４は、第２磁石Ｍ４を初期位置（第１磁石Ｍ１側）に付勢するように機能するため、復帰手段の一部として解釈することもできる。そして、第２磁石Ｍ２と第３磁石Ｍ３との間に第４磁石Ｍ４を配置することによって、第１磁石Ｍ１（弁体）と第３磁石Ｍ３（復帰手段）と間の距離を大きくして、弁体３３０の可動域を効果的に拡張することができる。また、第４磁石Ｍ４の移動方向も同様に軸方向に規制されているため、磁石の数がいくら増えたとしても、その動作が煩雑となることはない。なお、本実施例では、１つの第４磁石Ｍ４を追加したが、複数の第４磁石Ｍ４を第２磁石Ｍ２と第３磁石Ｍ３との間に追加してもよい。
【００６９】
（実施例４）
本発明の別実施形態の通気弁４００について説明する。図１５は、該通気弁４００の断面図である。本実施例の通気弁４００は、通気弁本体４１０、弁体４３０、第２磁石保持体４５０及びカバー体４７０を備えてなる。図１５に示すとおり、該通気弁４００は、実施例１の通気弁１００と異なり、復帰手段として磁石の代わりにバネＳを用いたものである。バネＳは、弁軸４３５の第１軸部４３５ａに外挿されており、尚且つ、バネＳ下端が第１ガイド部４１６に連結されているとともにバネＳ上端が第２磁石保持体４５０に連結されている。すなわち、磁石の反発力の代わりにバネＳの弾性力が第２磁石保持体４５０に作用することにより、バネＳが第２磁石Ｍ２を初期位置に付勢している。なお、バネＳの強度を調整することによって第２磁石Ｍ２の初期位置を任意に変更することができる。これにより、弁体４５０の開放位置を調整することができる。
【００７０】
実施例４の通気弁４００では、排水管Ｐ内の負圧が大きくなると、弁体４３０（及び通気口４１２）を介した通気弁本体４１０の内外で圧力差が生じ、この圧力差が弁体４３０を開放方向に移動させるように作用する。そして、弁体４３０の移動に伴って第１磁石Ｍ１が軸方向に沿って第２磁石Ｍ２側に移動する。第１磁石Ｍ１及び第２磁石Ｍ２間の斥力の増加を抑制するように第２磁石Ｍ２が第１磁石Ｍ１から離隔する方向に弁軸４３５に沿って移動しつつ、弁体４３０が開放位置に移動する。すなわち、第１磁石Ｍ１の移動とともに第２磁石Ｍ２がバネＳの弾性力に抗して下方に逃げつつ、バネＳが圧縮される。これにより、実施例１と同様に、第１磁石Ｍ１と第２磁石Ｍ２との間の斥力の増加が効果的に抑制される。そして、排水管Ｐ内の負圧が解消されると、負圧による弁体４３０に作用する力がなくなり、復帰手段としての圧縮されたバネＳの弾性復帰力が第２磁石Ｍ２を弁軸４３５に沿って初期位置に復帰させる。これにより、第２磁石Ｍ２が初期位置に復帰するとともに第１磁石Ｍ１が弁体４３０とともに軸方向に沿って閉塞位置に押し上げられる。そして、第１磁石Ｍ１及び第２磁石Ｍ２間の斥力で弁体４３０を閉塞位置に付勢して、弁体４３０が通気口４１２を再び閉塞することにより、初期（閉塞）状態に復帰する。
【００７１】
したがって、実施例４は、上記実施例１と同様に、排水管の負圧をより迅速且つ確実に解消することができる通気弁４００を提供するものである。すなわち、本発明の付勢手段は、第３磁石に限定されることなく、代替的な手段を任意に採用可能である。
【００７２】
（実施例５）
本発明の別実施形態の通気弁５００について説明する。図１６は、該通気弁５００の断面図である。本実施例の通気弁５００は、通気弁本体５１０、弁体５３０、第２磁石保持体５５０及びカバー体５７０を備えてなる。図１６に示すとおり、該通気弁５００は、実施例１の通気弁１００と異なり、弁軸５３５を通気弁本体５１０に固定し、該弁軸５３５に沿って移動可能に弁体５３０及び第２磁石保持体５５０を磁力で支持したものである。つまり、弁体５３０及び弁軸５３５は別体として構成されている。他方、第３磁石保持部５１５は、実施例１と同様にリブ５１５ａを介して通気弁本体５１０に固定されている。弁軸５３５は、弁体５３０の下方で第３磁石保持部５１５に固定されているとともに、弁体５３０の上方でリブ５１５ｂを介して筐体部５１１の内壁に連結されている。そして、該弁軸５３５は、通気弁本体５１０の径方向中心で軸方向に延びている。
【００７３】
実施例５の通気弁５００では、排水管Ｐ内の負圧が大きくなると、弁体５３０（及び通気口５１２）を介した通気弁本体５１０の内外で圧力差が生じ、この圧力差が弁体５３０を開放方向に移動させるように作用する。そして、弁軸５３５に対する弁体５３０の移動に伴って第１磁石Ｍ１が弁軸５３５に沿って第２磁石Ｍ２側に移動する。これに伴う第１磁石Ｍ１及び第２磁石Ｍ２間の斥力の増加を抑制するように、第２磁石Ｍ２が第１磁石Ｍ１から離隔する方向に弁軸５３５に沿って移動しつつ、弁体５３０が開放位置に移動する。すなわち、第１磁石Ｍ１の移動とともに第２磁石Ｍ２が第３磁石Ｍ３との反発力に抗して下方に逃げていく。これにより、実施例１と同様に、第１磁石Ｍ１と第２磁石Ｍ２との間の斥力の増加が効果的に抑制される。そして、排水管Ｐ内の負圧が解消されると、負圧による弁体５３０に作用する力がなくなり、復帰手段としての第３磁石Ｍ３が第２磁石Ｍ２を弁軸５３５に沿って初期位置に復帰させる。これにより、第２磁石Ｍ２が初期位置に復帰するとともに第１磁石Ｍ１が弁体５３０とともに弁軸５３５に沿って閉塞位置に押し上げられる。そして、第１磁石Ｍ１及び第２磁石Ｍ２間の斥力で弁体５３０を閉塞位置に付勢して、弁体５３０が通気口５１２を再び閉塞することにより、初期（閉塞）状態に復帰する。
【００７４】
したがって、実施例５は、上記実施例１と同様に、排水管の負圧をより迅速且つ確実に解消することができる通気弁５００を提供するものである。すなわち、本発明の弁軸は弁体と一体形成されていなくてもよく、弁体を弁軸に対して相対移動させてもよい。
【００７５】
（実施例６）
本発明の別実施形態の通気弁６００について説明する。図１７は、該通気弁６００の斜視図であり、図１８は、該通気弁６００の断面図である。該通気弁６００は、上記実施例と比べて、第２磁石Ｍ２を回動させることによって、第１磁石Ｍ１から離隔させたものである。
【００７６】
図１７に示すとおり、本実施例の通気弁６００は、円筒状の通気弁本体６１０と、該通気弁本体６１０に収容され、第１磁石Ｍ１を内蔵する弁体６３０と、第２磁石Ｍ２を回動可能に支持する第２磁石保持体６５０と、上端に設けられたスポンジ製の環状の保護部材６７０とを備えてなる。
【００７７】
図１８（ａ）に示すとおり、通気弁本体６１０は、円筒形状の筐体部６１１と、該筐体部６１１の下端に形成されて排水管Ｐに接続される接続口６１９と、該筐体部６１１上端の開口端部６１８に連通して形成された通気口６１２と、を有する。該通気口６１２の周囲で弁体６３０と当接する弁座６１３が設けられており、通気口６１２の下方に弁体収容空間６１４が定められている。また、筐体部６１１内壁には、弁体６３０の上下動をガイドするガイド溝６２１が形成されているとともに、第２磁石保持体６５０を軸支するために対向する一対の凹部６２２が形成されている。
【００７８】
そして、弁体６３０は、第１基板６３１ａ及び第２基板６３１ｂからなる弁体本体６３１と、該第１基板６３１ａ及び第２基板６３１ｂ間に保持されたパッキン６３２と、該弁体６３０の径方向の中心で第１磁石Ｍ１を保持する第１磁石保持部６３３と、通気弁本体６１０のガイド溝６２１にガイドされるガイド突起６３４（図１７参照）と、を備える。この弁体６３０では、パッキン６３２が弁体６３０上面に露出して弁座６１３に当接可能に形成されている。
【００７９】
さらに、図１８（ｂ）に示すとおり、第２磁石保持体６５０は、第２磁石Ｍ２を保持する短筒状の保持部６５１と、該保持部６５１から側方に延びる軸部６５２と、該軸部６５２を介して第２磁石Ｍ２の反対側に配置された錘体６５３と、を備える。錘体６５３は、第２磁石Ｍ２よりも重い。すなわち、第２磁石保持体６５０において、錘体６５３が重力で軸部６５２を介して下方に垂下するように機能する。すなわち、錘体６５３によって、第２磁石Ｍ２の磁極が通気弁本体６１０の径方向中心で上方を向くように維持される。
【００８０】
通気弁６００において、図１８（ｂ）に示すように、第２磁石保持体６５０の軸部６５２の両端が筐体部６１１内壁の凹部６２２に配置されている。すなわち、第２磁石保持体６５０は、当該軸部６５２を軸として回動可能に通気弁本体６１０に軸支されている。このとき、錐体６５３の重みにより、錐体６５３が軸部６５２の下方に位置し、第２磁石Ｍ２が上方に位置する。そして、通気弁６００が垂直に配置されている場合に、錘体６５３が第２磁石Ｍ２を上方を向いた初期位置に付勢する復帰手段として機能する。その結果、上方を向いた第２磁石Ｍ２と弁体６３０の第１磁石Ｍ１とが互いに反発することにより、弁体６３０が弁座６１３に押し付けられるように閉塞位置へと付勢されている。
【００８１】
続いて、図１９を参照して、通気弁６００を取着した配管構造６０における通気弁６００の動作を説明する。図１９（ａ）は、配管構造６０において排水管Ｐが負圧状態になく、通気弁６００の弁体６３０が閉塞位置にある形態を示している。図１９（ｂ）は、排水管Ｐが負圧状態で通気弁６００の弁体６３０が開放位置にある形態を示す。
【００８２】
図１９（ａ）に示すとおり、排水管Ｐが負圧でない通常の閉塞状態では、弁体６３０が閉塞位置に付勢されてパッキン６３２が弁座６１３に密接し、通気口６１２が弁体６３０で封止されている。そして、排水管Ｐ内の負圧が大きくなると、弁体６３０（及び通気口６１２）を介した通気弁本体６１０の内外で圧力差が生じ、この圧力差が弁体６３０を開放方向に移動させるように作用する。
【００８３】
そして、図１９（ｂ）に示すとおり、弁体６３０の移動に伴って第１磁石Ｍ１が第２磁石Ｍ２側に移動する。これに伴う第１磁石Ｍ１及び第２磁石Ｍ２間の斥力の増加を抑制するように、第２磁石Ｍ２の磁極が第１磁石Ｍ１の磁極から逃げる方向に軸部６２２を中心に回動しつつ、弁体６３０が開放位置に移動する。すなわち、第１磁石Ｍ１の移動とともに第２磁石Ｍ２の磁極の向きが第１磁石Ｍ１の磁極の向きから逸れるように回動する。これにより、実施例１と同様に、第１磁石Ｍ１と第２磁石Ｍ２との間の斥力の増加が効果的に抑制される。その結果、図１９（ｂ）に示すように、弁体６３０が開放位置に迅速且つ確実に到達して、通気口６１２を介して外気を吸入して、排水管Ｐ内の負圧を解消する。
【００８４】
排水管Ｐ内の負圧が解消されると、負圧による弁体６３０に作用する力がなくなり、復帰手段としての錘体６５３が垂下するように回動し、第２磁石Ｍ２を上方を向くように初期位置に復帰させる。すなわち、重力により錐体６５３が第２磁石Ｍ２を初期位置に復帰させる。そして、第２磁石Ｍ２が初期位置に復帰するとともに第１磁石Ｍ１が弁体６３０とともに軸方向に沿って閉塞位置に押し上げられる。そして、第１磁石Ｍ１及び第２磁石Ｍ２間の斥力で弁体６３０を閉塞位置に付勢して、弁体６３０が通気口６１２を再び閉塞することにより、図１９（ａ）の初期（閉塞）状態に復帰する。すなわち、該配管構造６０では、排水管Ｐ内の負圧を解消した後、迅速且つ確実に各部材が元の位置に復帰する。
【００８５】
したがって、実施例６は、上記実施例１と同様に、排水管の負圧をより迅速且つ確実に解消することができる通気弁６００を提供するものである。すなわち、本発明では、第２磁石Ｍ及び復帰手段の形態を任意に変更することができる。
【００８６】
（変形例）
本発明の配線・配管ボックスの設置方法は、上記実施形態に限定されずに、例えば、以下のように変形可能である。
１）設置用途に応じて、排水管の形状、材質を任意に変更することができる。例えば、通気口及び接続口が弁軸と同軸上に開口しているが、接続口を通気口に対して側方に開口させてもよい。
２）上述した実施形態では、通気弁が排水管の負圧を解消する用途に用いられているが、排水用途だけに限定せずに、当業者であれば、本発明を他の用途の配管材に応用することも可能である。
３）上述した各実施例の特徴的な構成要素をそれぞれ部分的に組み合わせてもよい。
【００８７】
本発明は上述した実施形態や変形例に限定されるものではなく、本発明の技術的範囲に属する限りにおいて種々の態様で実施しうるものである。
【符号の説明】
【００８８】
１０      配管構造
１００    通気弁
１１０    通気弁本体
１１１    筐体部
１１２    通気口
１１３    弁座
１１４    弁体収容空間
１１５    第３磁石保持部
１１６    第１ガイド部
１１７    第２ガイド部
１１８    開口端部
１１９    接続口
１３０    弁体
１３１    弁体本体
１３２    パッキン
１３３    第１磁石保持部
１３５    弁軸
１３５ａ  第１軸部
１３５ｂ  第２軸部
１５０    第２磁石保持体
１７０    カバー体
６００    通気弁
６５０    第２磁石保持体
６５２    軸部
６５３    錘体
Ｍ１    第１磁石
Ｍ２    第２磁石
Ｍ３    第３磁石（復帰手段）
Ｍ４    第４磁石
Ｓ      バネ（復帰手段）
Ｐ      排水管
Ｐ’    接続端
【図１】
2018040492.tif 000003
【図２】
2018040492.tif 000004
【図３】
2018040492.tif 000005
【図４】
2018040492.tif 000006
【図５】
2018040492.tif 000007
【図６】
2018040492.tif 000008
【図７】
2018040492.tif 000009
【図８】
2018040492.tif 000010
【図９】
2018040492.tif 000011
【図１０】
2018040492.tif 000012
【図１１】
2018040492.tif 000013
【図１２】
2018040492.tif 000014
【図１３】
2018040492.tif 000015
【図１４】
2018040492.tif 000016
【図１５】
2018040492.tif 000017
【図１６】
2018040492.tif 000018
【図１７】
2018040492.tif 000019
【図１８】
2018040492.tif 000020
【図１９】
2018040492.tif 000021